(57)【特許請求の範囲】
【請求項１】
手元（２）が下端に結合された中管（３）と、中管（３）でスライドされる大管（４）とで中棒（５）が構成され、前記中管（３）の上端部分と大管（４）の下端部分にそれぞれ係止段部（３ａ）（４ａ）を形成し、前記係止段部（３ａ）（４ａ）の上側にそれぞれ中棒（５）が伸長された状態で重なる係止孔（３ｂ）（４ｂ）を形成して、中管（３）の係止段部（３ａ）の上側内部に設置されたスプリング（６）に弾性支持される係止突起（７）によって中棒（５）が伸長された状態で固定され、前記大管（４）の上端に固定される固定部材（８）に複数の元親骨（１１）が回動可能に放射状に結合され、前記各元親骨（１１）の他端部は先親骨（１２）に形成されたピン結合部（１３）にピンで結合され、前記先親骨（１２）は折り畳んだ状態で先親骨（１２）が外部に露出されるように構成され、先親骨（１２）の内端部に前記ピン結合部（１３）で延長された支持部（１４）を形成して、先親骨（１２）を伸ばした状態で元親骨（１１）の下端部分に支持部（１４）が支持されることができるようにし、元親骨（１１）の中間部分と中棒（５）の大管（４）に沿って昇降する昇降部材（９）にそれぞれ受骨（１５）の両端を放射状に回動可能に結合した日傘骨アセンブリー（１０）で構成された日傘（１）において、
前記昇降部材（９）の下側に大管（４）に沿ってスライド作動し、日傘骨アセンブリー（１０）を折り畳んだ状態で中棒（５）を縮小させる時、手元（２）に挿入されるように第２昇降部材（１６）を設置し、前記第２昇降部材（１６）と先親骨（１２）の内端部に形成された支持部（１４）にはそれぞれ環状部（１７ａ）（１８ａ）によって相互連結される内側牽引部材（１７）と外側牽引部材（１８）を回動可能に結合し、前記第２昇降部材（１６）にはスプリング（２３）の弾性力によって大管（４）の方へ加圧される上部ストッパー（２１）と下部ストッパー（２２）を円周方向に９０゜の間隔を隔ててそれぞれ設置し、前記上部ストッパー（２１）は下端部分に係止段部（２１ａ）が形成されて、日傘骨アセンブリー（１０）を開いた状態で中棒（５）の大管（４）の上側に形成された固定孔（４ｃ）に挿入され、下部ストッパー（２２）は上端部分に係止段部（２２ａ）が形成されて、日傘骨アセンブリー（１０）を折り畳んだ状態で大管（４）の下側に形成された固定孔（４ｄ）に挿入されることを特徴とする日傘。
【請求項２】
前記受骨（１５）と元親骨（１１）は逆Ｕ字状に形成して互いに対向するようにし、日傘骨アセンブリー（１０）が折り畳まれている場合に、前記内側牽引部材（１７）と外側牽引部材（１８）が環状部（１７ａ）（１８ａ）によって相互連結された連結部の真下の部分が受骨（１５）と元親骨（１１）の結合部分の下側にそれぞれ対向するように形成された離脱防止ピン（１９）（２０）によってそれぞれ受骨（１５）と元親骨（１１）に挿入された状態で離脱しないように構成して、前記先親骨（１２）を回動するようにすることを特徴とする請求項１に記載の日傘。
【請求項３】
前記昇降部材（９）の下側にスペース部（９ａ）を形成して、日傘骨アセンブリー（１０）が折り畳まれた状態で前記第２昇降部材（１６）が上昇して昇降部材（９）のスペース部（９ａ）の下端に接する時、先親骨（１２）が約９０゜回動して半分伸長された状態になるようにして、日傘骨アセンブリー（１０）の先親骨（１２）が、第２昇降部材（１６）を上昇させたり下降させる使用者の手に接触されないようにすることを特徴とする請求項１に記載の日傘。
【請求項４】
手元（２）が下端に結合された中管（３）と、中管（３）でスライドされる大管（４）とで中棒（５）が構成され、前記中管（３）の上端部分と大管（４）の下端部分にそれぞれ係止段部（３ａ）（４ａ）を形成し、前記係止段部（３ａ）（４ａ）の上側にそれぞれ中棒（５）が伸長された状態で重なる係止孔（３ｂ）（４ｂ）を形成して、中管（３）の係止段部（３ａ）の上側内部に設置されたスプリング（６）に弾性支持される係止突起（７）によって中棒（５）が伸長された状態で固定され、前記大管（４）の上端に固定される固定部材（８）に複数の元親骨（１１）が回動可能に放射状に結合され、前記各元親骨（１１）の他端部は先親骨（１２）に形成されたピン結合部（１３）にピンで結合され、前記先親骨（１２）は折り畳んだ状態で先親骨（１２）が外部に露出されるように構成され、先親骨（１２）の内端部に前記ピン結合部（１３）で延長された支持部（１４）を形成して、先親骨（１２）を伸ばした状態で元親骨（１１）の下端部分に前記支持部（１４）が支持されることができ、元親骨（１１）の中間部分と中棒（５）の大管（４）に沿って昇降する昇降部材（９）にそれぞれ受骨（１５）の両端を放射状に回動可能に結合した日傘骨アセンブリー（１０）で構成された日傘（１）において、
前記大管（４）と昇降部材（９）との間に位置され、大管（４）が囲まれるように管状のスライド管（２４）をさらに設置し、前記スライド管（２４）の上、下端部分にはそれぞれ昇降部材（９）が上昇して接した状態で、固定部材（８）との間隔が保持されるように上部凸部（２４ａ）を形成し、昇降部材（９）が下降する時昇降部材（９）の下端が接する下部凸部（２４ｂ）を形成し、前記スライド管（２４）の上端と先親骨（１２）の内端部に形成された支持部（１４）に、牽引部材（２５）の両端を回動可能に結合し、前記昇降部材（９）にはスプリング（２３）の弾性力によって大管（４）の方へ加圧される１つの上部ストッパー（２１）と互いに対向する２つの下部ストッパー（２２）を円周方向に９０゜の間隔を隔ててそれぞれ設置し、前記上部ストッパー（２１）は下端部分に係止段部（２１ａ）が形成されて、日傘骨アセンブリー（１０）が開かれた状態で連通されるようにスライド管（２４）と大管（４）の上側にそれぞれ形成された固定孔（２４ｃ）（４ｅ）に挿入され、前記互いに対向する２つの下部ストッパー（２２）は上端部分に係止段部（２２ａ）が形成されて、日傘骨アセンブリー（１０）が折られた状態で連通されるようにスライド管（２４）と大管（４）の下側にそれぞれ形成された互いに対向する固定孔（２４ｄ）（４ｆ）に挿入されて固定されることを特徴とする日傘。
【請求項５】
前記元親骨（１１）は逆Ｕ字状に形成し、前記元親骨（１１）の中間部分と受骨（１５）が回動可能に結合された結合部のピンによって前記牽引部材（２５）が元親骨（１１）から離脱しないように構成して、前記先親骨（１２）を回動するようにすることを特徴とする請求項４に記載の日傘。
【発明の詳細な説明】
【技術分野】
【０００１】
本発明は日差しを遮って体の中で特に顔を保護するために用いる日傘に関し、より詳しくは、日傘骨アセンブリーの先親骨を別途に手で一つ一つ伸ばしたり折ったりする煩雑さを解決することができる使用便利性を保障する日傘を提供することにある。
【背景技術】
【０００２】
日差しを遮って体の中で特に顔を保護するために用いる従来の一般的な日傘は、手元が下端に結合された中管と、中管でスライドされる大管とで中棒が構成され、中棒には傘布が結合される日傘骨アセンブリーが結合される。
【０００３】
日傘骨アセンブリーは、大管の上端に固定される固定部材に複数の元親骨が回動可能に放射状に結合され、各元親骨の他端部の直上に形成されたピン結合部に先親骨がピンで結合されて回動するようにする。
【０００４】
先親骨は折り畳んだ状態で先親骨が外部に露出されるように構成されたもので、元親骨の端部にはピン結合部で延長された支持部を形成して、先親骨を伸ばして日傘を広げた状態で元親骨の下端の支持部が先親骨を支持することができるようにする。
【０００５】
そして、元親骨の中間部分と中棒の大管に沿って昇降する昇降部材にそれぞれ受骨の両端を放射状に回動可能に結合し、昇降部材は日傘を広げるために上昇した状態で大管に結合されているスプリングによって弾性支持される係止突起に係止されて固定されるように構成されている。
【０００６】
上記のように構成される従来の一般的な日傘は、日差しを遮って体の中で特に顔を保護するのに非常に重要に使われているが、日傘を広げるためには、まず中棒を伸長させた状態で、日傘骨アセンブリーの先親骨を手で一つ一つ正しく伸ばした状態で昇降部材を手で握って押し上げて日傘を開き、日傘を折り畳んで保管する時も先親骨を手で一つ一つ折らなければならない構成である。
【０００７】
このような構成は、先親骨を手で一つ一つ伸ばしたり折ったりしなければならないなどの煩雑さがあることから迅速な作動性を保障することが困難であり、大部分の日傘使用者は前述した従来の問題点が改善された日傘の普及を期待していた。
【発明の概要】
【発明が解決しようとする課題】
【０００８】
そこで、本発明者は日傘骨アセンブリーの先親骨の作動性に対する前述した従来の一般的な日傘の諸般問題点を一掃するために本発明を研究開発し、本発明では日傘骨アセンブリーの先親骨を別途に手で一つ一つ伸ばしたり折ったりする煩雑さなしに、昇降部材を上方へ移動させる時、自動に日傘骨アセンブリーが開き、昇降部材を下方へ移動させる時、自動に日傘骨アセンブリーが折り畳まれることができる使用便利性を保障する日傘を提供することを発明の技術的課題として本発明を完成した。
【課題を解決するための手段】
【０００９】
課題の解決手段として、本発明では、第一に、手元が下端に結合された中管と、中管でスライドされる大管とで中棒が構成され、上記中管の上端部分と大管の下端部分にそれぞれ係止段部を形成し、上記係止段部の上側にそれぞれ中棒が伸長された状態で重なる係止孔を形成して中管の係止段部の上側内部に設置されたスプリングによって弾性支持される係止突起によって中棒が伸長された状態で固定され、上記大管の上端に固定される固定部材に複数の元親骨が回動可能に放射状に結合され、上記各元親骨の他端部は先親骨に形成されたピン結合部にピンで結合され、上記先親骨は折り畳んだ状態で先親骨が外部に露出されるように構成され、先親骨の内端部に上記ピン結合部で延長された支持部を形成して先親骨を伸ばした状態で元親骨の下端部分に支持部が支持されることができるようにし、元親骨の中間部分と中棒の大管に沿って昇降する昇降部材にそれぞれ受骨の両端を放射状に回動可能に結合した日傘骨アセンブリーで構成された日傘において、昇降部材の下側に大管に沿ってスライド作動して、日傘骨アセンブリーを折り畳んだ状態で中棒を縮める時手元に挿入されるように第２昇降部材を設置し、上記第２昇降部材と先親骨の内端部に形成された支持部にはそれぞれ環状部によって相互連結される内側牽引部材と外側牽引部材を回動可能に結合し、上記第２昇降部材にはスプリングの弾性力によって大管の方へ加圧される上部ストッパーと下部ストッパーを円周方向に９０゜の間隔を隔ててそれぞれ設置し、上記上部ストッパーは下端部分に係止段部が形成されて、日傘骨アセンブリーを開いた状態で中棒の大管上側に形成された固定孔に挿入され、下部ストッパーは上端部分に係止段部が形成されて日傘骨アセンブリーを折り畳んだ状態で大管下側に形成された固定孔に挿入されるようにした。
【００１０】
第二に、上記受骨と元親骨は逆Ｕ字状に形成して互いに対向するようにし、日傘骨アセンブリーが折り畳まれた場合に上記内側牽引部材と外側牽引部材が環状部によって相互連結された連結部の直下の部分が受骨と元親骨の結合部分の下側にそれぞれ対向するように形成された離脱防止ピンによってそれぞれ受骨と元親骨に挿入された状態で離脱しないように構成した。
【００１１】
第三に、上記昇降部材の下側にスペース部を形成して、日傘骨アセンブリーが折り畳まれた状態で第２昇降部材が上昇して、上記昇降部材のスペース部の下端に接する時、先親骨が約９０゜回動して半分開かれた状態になるようにして、日傘骨アセンブリーの先親骨が、第２昇降部材を上昇させたり下降させる使用者の手に接触されないようにした。
【００１２】
第四に、手元が下端に結合された中管と、中管でスライドされる大管とで中棒が構成され、上記中管の上端部分と大管の下端部分にそれぞれ係止段部を形成し、上記係止段部の上側にそれぞれ中棒が伸長された状態で重なる係止孔を形成して、中管の係止段部の上側内部に設置されたスプリングによって弾性支持される係止突起によって中棒が伸長された状態で固定され、上記大管の上端に固定される固定部材に複数の元親骨が回動可能に放射状に結合され、上記各元親骨の他端部は先親骨に形成されたピン結合部にピンで結合され、上記先親骨は折り畳んだ状態で先親骨が外部に露出されるように構成され、先親骨の内端部に上記ピン結合部で延長された支持部を形成して、先親骨を伸ばした状態で元親骨の下端部分に支持部が支持されることができるようにし、元親骨の中間部分と中棒の大管に沿って昇降する昇降部材にそれぞれ受骨の両端を放射状に回動可能に結合した日傘骨アセンブリーで構成された日傘において、大管と昇降部材との間に位置され、大管が囲まれるように管状のスライド管をさらに設置し、上記スライド管の上下端にはそれぞれ昇降部材が上昇して接した状態で固定部材との間隔が維持されるように上部凸部を形成し、昇降部材が下降する時、昇降部材の下端が接する下部凸部を形成し、上記スライド管の上端と先親骨の内端部に形成された支持部に牽引部材の両端を回動可能に結合し、上記昇降部材にはスプリングの弾性力によって大管の方へ加圧される１つの上部ストッパーと互いに対向する２つの下部ストッパーを円周方向に９０゜の間隔を隔ててそれぞれ設置し、上記上部ストッパーは下端部分に係止段部が形成されて、日傘骨アセンブリーが開かれた状態で連通されるようにスライド管と大管の上側にそれぞれ形成された固定孔に挿入され、上記２つの下部ストッパーは上端部分に係止段部が形成されて、日傘骨アセンブリーが折り畳まれた状態で連通されるようにスライド管と大管の下側にそれぞれ形成されて、互いに対向する固定孔に挿入されて固定されるようにした。
【００１３】
第五に、上記元親骨は逆Ｕ字状に形成して、上記元親骨と受骨が回動可能に結合される結合部のピンによって上記牽引部材が元親骨で離脱しないように構成した。
【発明の効果】
【００１４】
本発明で提供する日傘によれば、日傘骨アセンブリーの先親骨を手で一つ一つ伸ばしたり折ったりする煩雑さがなくて日傘の使用便利性を改善することができるという効果を奏する。
【００１５】
一般的に普及されている日傘に容易に適用可能であり、構成が簡単で、且つ廉価でありながら使用便利性が優れた日傘を普及することができるので、価格及び品質の競争力で他製品に比べて優位を占めることができるという効果を奏する。
【図面の簡単な説明】
【００１６】
【図１】本発明の好ましい第１実施例において日傘骨アセンブリーが折り畳まれた状態で中棒が縮小された状態を示す断面図である。
【図２】本発明の好ましい第１実施例において日傘骨アセンブリーが折り畳まれた状態で中棒が伸長された状態を示す断面図である。
【図３】本発明の好ましい第１実施例において日傘骨アセンブリーの先親骨が回動して伸ばされた状態を示す断面図である。
【図４】本発明の好ましい第１実施例において日傘が開かれた状態を示す断面図である。
【図５】本発明の好ましい第２実施例において日傘骨アセンブリーが折り畳まれた状態で中棒が縮小された状態を示す断面図である。
【図６】本発明の好ましい第２実施例において日傘骨アセンブリーが折り畳まれた状態で中棒が伸長された状態を示す断面図である。
【図７】本発明の好ましい第２実施例において日傘骨アセンブリーの先親骨が回動して半分伸ばされた状態を示す断面図である。
【図８】本発明の好ましい第２実施例において日傘骨アセンブリーの先親骨が回動して完全に伸ばされた状態を示す断面図である。
【図９】本発明の好ましい第２実施例において日傘が開かれた状態を示す断面図である。
【図１０】本発明の好ましい第３実施例において日傘骨アセンブリーが折り畳まれた状態で中棒が縮小された状態を示す断面図である。
【図１１】本発明の好ましい第３実施例において日傘骨アセンブリーが折り畳まれた状態で中棒が伸長された状態を示す断面図である。
【図１２】本発明の好ましい第３実施例において日傘骨アセンブリーの先親骨が回動されて伸ばされた状態を示す断面図である。
【図１３】本発明の好ましい第３実施例において日傘が開かれた状態を示す断面図である。
【発明を実施するための形態】
【００１７】
以下で添付図面に基づいて本発明の構成を説明する。
【００１８】
図１は本発明の好ましい第１実施例において日傘骨アセンブリーが折り畳まれた状態で中棒が縮小された状態を示す断面図であり、図２は本発明の好ましい第１実施例において日傘骨アセンブリーが折り畳まれた状態で中棒が伸長された状態を示す断面図であり、図３は本発明の好ましい第１実施例において日傘骨アセンブリーの先親骨が回動して伸ばされた状態を示す断面図であり、図４は本発明の好ましい第１実施例において日傘が開かれた状態を示す断面図を示す。
【００１９】
本発明で提供する日傘１は、図示するように、手元２が下端に結合された中管３と、中管３でスライドされる大管４とで中棒５が構成され、これら中管３の上端部分と大管４の下端部分にはそれぞれ係止段部３ａ、４ａが形成されて、伸長された状態で任意に抜けないように構成し、中管３と大管４の係止段部３ａ、４ａの上側にそれぞれ中棒５が伸長された状態で重なる係止孔３ｂ、４ｂを形成して、中管３の係止段部３ａの上側内部に設置されたスプリング６に弾性支持される係止突起７によって中棒５が伸長された状態で固定されることができ、中棒５には傘布が結合される日傘骨アセンブリー１０が結合される。
【００２０】
日傘骨アセンブリー１０は、大管４の上端に固定される固定部材８に複数の元親骨１１が回動可能に放射状に結合され、各元親骨１１の他端部は先親骨１２に形成されたピン結合部１３にピンで回動可能に結合され、先親骨１２は折り畳んだ状態で先親骨１２が外部に露出されるように構成され、先親骨１２の内端部にピン結合部１３で延長された支持部１４を形成して、先親骨１２を伸ばした状態で元親骨１１の下端部分に支持部１４が支持されることができる。
【００２１】
そして、元親骨１１の中間部分と中棒５の大管４に沿って昇降する昇降部材９にそれぞれ受骨１５の両端を放射状に回動可能に結合する。
【００２２】
上記した構成は一般に使っている既存の日傘の構成とほぼ同じである。
【００２３】
本発明では、上記した日傘１の構成を積極的に改良して日傘骨アセンブリー１０の先親骨１２を手で一つ一つ伸ばしたり折ったりする煩雑な問題を一掃することができるようにした。
【００２４】
本発明では、昇降部材９の下側に大管４に沿ってスライド作動し、日傘骨アセンブリー１０を折り畳んだ状態で中棒５を縮小させる時手元２に挿入されるように第２昇降部材１６を設置する。
【００２５】
第２昇降部材１６は、日傘骨アセンブリー１０を折り畳んだ状態では、昇降部材９の下側に所定間隔に隔てている状態であり、日傘骨アセンブリー１０を開くために第２昇降部材１６を上方へ移動させると、昇降部材９と接しながら後述する内側牽引部材１７と外側牽引部材１８を押して日傘骨アセンブリー１０の先親骨１２を回動させて開くようにする部材である。
【００２６】
第２昇降部材１６と先親骨１２の内端部に形成された支持部１４にはそれぞれ環状部１７ａ、１８ａによって相互連結される内側牽引部材１７と外側牽引部材１８を回動可能に結合する。
【００２７】
受骨１５と元親骨１１は逆Ｕ字状に形成して互いに対向するようにし、日傘骨アセンブリー１０が折り畳まれている場合に、内側牽引部材１７と外側牽引部材１８が環状部１７ａ、１８ａによって相互連結された連結部の真下の下部分が受骨１５と元親骨１１の結合部分の下側にそれぞれ対向するように形成された離脱防止ピン１９、２０によってそれぞれ受骨１５と元親骨１１に挿入された状態で離脱しないように構成する。
【００２８】
そして、第２昇降部材１６には日傘骨アセンブリー１０を広げた状態と折り畳んだ状態で固定されることができるように、スプリング２３の弾性力によって大管４の方へ加圧される上部ストッパー２１と下部ストッパー２２を円周方向に９０゜の間隔を隔てて設置する。
【００２９】
上部ストッパー２１は下端部分に係止段部２１ａが形成され、この係止段部２１ａは日傘骨アセンブリー１０を開いた状態で中棒５の大管４の上側に形成された固定孔４ｃに挿入される。そして、下部ストッパー２２は上端部分に係止段部２２ａが形成され、日傘骨アセンブリー１０を折り畳んだ状態で大管４下側に形成された固定孔４ｄに挿入される。
【００３０】
以上のように構成される本発明の日傘１が、図１のように折り畳まれた状態で日傘１を利用する場合には、まず折り畳まれた状態の日傘骨アセンブリー１０を手で握って手元２を引いて縮まっている中棒５の大管４と中管３を延伸させる。この時、中管３と大管４は係止段部３ａ、４ａによって固定され、係止孔３ｂ、４ｂが重ねられて、中管３の係止段部３ａの上側内部に設置されたスプリング６に弾性支持される係止突起７が係止孔３ｂ、４ｂを通じて第２昇降部材１６の下端部分に接している図２のような状態になる。
【００３１】
上記のように、中棒５を延伸させた状態で、第２昇降部材１６に設置されて、第２昇降部材１６の外部に突出されている下部ストッパー２２の下端部分を指で押して、下部ストッパー２２の上端部分に形成された係止段部２２ａを大管４の下側に形成された固定孔４ｄから分離させて、第２昇降部材１６を上部へ押し上げる。第２昇降部材１６を押し上げると、第２昇降部材１６の下端部分に接している係止突起７が重なっている係止孔３ｂ、４ｂから突出して大管４と中管３が伸長された状態で固定される。上部ストッパー２１は大管４に接して第２昇降部材１６の外部に突出しなくて、下部ストッパー２２を選択して指で押す時、混乱を起こさない。
【００３２】
この時、第２昇降部材１６に回動可能に連結された内側牽引部材１７が上方に移動しながら、内側牽引部材１７と環状部１７ａ、１８ａによって相互連結された外側牽引部材１８の連結部を元親骨１１と受骨１５が回動可能に結合する結合部のすぐ下まで押し上げながら外側牽引部材１８と回動可能に連結された先親骨１２の支持部１４を引いて先親骨１２を回動させて伸長されるようにして、図３のような状態になる。
【００３３】
上記で内側牽引部材１７と外側牽引部材１８は逆Ｕ字状に形成されて、互いに対向する受骨１５と元親骨１１の結合部分の下側にそれぞれ対向するように形成された離脱防止ピン１９、２０によってそれぞれ受骨１５と元親骨１１に挿入されているので、第２昇降部材１６を押し上げても昇降部材９はほぼ停止している。
【００３４】
上記のように、先親骨１２が回動されて伸長される時、第２昇降部材１６は昇降部材９の下側に到達されて接しており、このような状態で第２昇降部材１６を押し上げ続けると、受骨１５が結合されている昇降部材９も一緒に上昇しながら、既存の日傘のように日傘骨アセンブリー１０が広がるようになり、同時に昇降部材９に回動可能に結合された受骨１５の結合部と第２昇降部材１６に回動可能に結合された内側牽引部材１７の結合部の間隔によって、第２昇降部材１６が上昇すれば内側牽引部材１７と外側牽引部材１８が環状部１７ａ、１８ａによって相互連結された連結部が元親骨１１と受骨１５が回動可能に結合された結合部に近接しながら、外側牽引部材１８が先親骨１２の支持部１４を引いて先親骨１２の支持部１４が元親骨１１に密着して日傘骨アセンブリー１０が完全に広がるようになる。上記のように、日傘骨アセンブリー１０が完全に開かれた状態では、第２昇降部材１６に設置されている上部ストッパー２１の下端部に形成された係止段部２１ａが大管４の上側に形成された固定孔４ｃに挿入されて、日傘骨アセンブリー１０を広げた状態で固定する図４のような状態になる。
【００３５】
上記で内側牽引部材１７と外側牽引部材１８が環状部１７ａ、１８ａによって相互連結された連結部が元親骨１１と受骨１５が回動可能に結合された結合部に近接している状態で第２昇降部材１６を上方または下方へ移動させて、日傘骨アセンブリー１０を広げる時や折り畳む時、内側牽引部材１７と外側牽引部材１８がそれぞれ逆Ｕ字状に形成されている受骨１５と元親骨１１の結合部分の下側にそれぞれ対向するように形成された離脱防止ピン１９、２０によって挿入された状態で、受骨１５と元親骨１１とほぼ同じ角度に開かれるか折られることで日傘１を開いて折り畳む時、干渉による力の損失がない。
【００３６】
上記のように、日傘１を広げた状態で使ってから日傘１を折り畳む場合には、日傘１を広げる時の逆順で日傘骨アセンブリー１０が作動する。まず、図４のような状態で、第２昇降部材１６に設置されて、第２昇降部材１６の外部に突出されている上部ストッパー２１の上端部分を指で押して、大管４の上側固定孔４ｃで上部ストッパー２１の係止段部２１ａを分離した状態で、第２昇降部材１６を下へ引けば良い。上記で下部ストッパー２２は大管４に接して第２昇降部材１６の外部に突出しなくて、上部ストッパー２１を選択して指で押すのに混乱を起こさない。
【００３７】
上記のように、固定孔４ｃから上部ストッパー２１の係止段部２１ａを分離して第２昇降部材１６を下へ引くと、第２昇降部材１６と回動可能に結合されている内側牽引部材１７が離脱防止ピン１９によって受骨１５に挿入されているので、受骨１５が回動可能に結合されている昇降部材９も一緒に下方へ移動する。この時、昇降部材９に回動可能に結合されている受骨１５が元親骨１１と一緒に下方へ回動して、受骨１５と元親骨１１がほぼ大管４に接するようになり、先親骨１２はほぼ回動しない図３のような状態になる。
【００３８】
図３のような状態で、第２昇降部材１６を下へ引き続けると、昇降部材９は止められ、第２昇降部材１６と回動可能に結合されている内側牽引部材１７が下方へ移動しながら内側牽引部材１７と環状部１７ａ、１８ａによって相互連結された外側牽引部材１８を引っ張って外側牽引部材１８が回動可能に結合されている先親骨１２の支持部１４を押して先親骨１２が回動されて折り畳まれ、第２昇降部材１６に設置されている下部ストッパー２２の係止段部２２ａが大管４の下側に形成された固定孔４ｄに挿入されると、日傘骨アセンブリー１０は完全に折り畳まれた状態に固定され、同時に第２昇降部材１６の下端部が係止孔３ｂ、４ｂを通じて大管４の外部に突出されている係止突起７を押し入れて中管３が大管４でスライド可能な図２のような状態になる。このような状態で折り畳まれている日傘骨アセンブリー１０を手で握って手元２を押して伸長されている中棒５の中管３と大管４を縮小させた図１のような状態で保管すれば良い。
【００３９】
図５は本発明の好ましい第２実施例において日傘骨アセンブリーが折り畳まれた状態で中棒が縮小された状態を示す断面図であり、図６は本発明の好ましい第２実施例において日傘骨アセンブリーが折り畳まれた状態で中棒が伸長された状態を示す断面図であり、図７は本発明の好ましい第２実施例において日傘骨アセンブリーの先親骨が回動して半分伸長された状態を示す断面図であり、図８は本発明の好ましい第２実施例において日傘骨アセンブリーの先親骨が回動して完全に伸長した状態を示す断面図であり、図９は本発明の好ましい第２実施例において日傘が開かれた状態を示す断面図を示す。
【００４０】
本発明で提供する日傘１の第２実施例は、第１実施例のように構成する際に、日傘骨アセンブリー１０の先親骨１２が第２昇降部材１６を上昇させたり下降させる使用者の手に接触されないようにすることを特徴とする。
【００４１】
即ち、上記機能性を提供するために本発明の第２実施例では、昇降部材９の下側にスペース部９ａを形成して、日傘骨アセンブリー１０が折り畳まれている状態で第２昇降部材１６が上昇して昇降部材９のスペース部９ａの下端に接する時、先親骨１２が約９０゜回動して半分伸長された状態になる。
【００４２】
上記のように構成される本発明の第２実施例の日傘１を使用するためには、まず、図５のように折られた状態の日傘骨アセンブリー１０を手で握って、手元２を引っ張って縮まっている中棒５の大管４と中管３を伸長させて図６のような状態になるようにする。
【００４３】
上記のように、中棒５を伸長させた状態で第２昇降部材１６に設置され第２昇降部材１６の外部に突出されている下部ストッパー２２の下端部分を指で押して、下部ストッパー２２の上端部分に形成された係止段部２２ａを大管４の下側に形成された固定孔４ｄから分離させて、第２昇降部材１６を上部へ押し上げる。この時、大管４と中管３は重なった係止孔３ｂ、４ｂを通じて係止突起７が突出して伸長された状態で固定される。
【００４４】
上記で内側牽引部材１７と外側牽引部材１８は逆Ｕ字状に形成されて、互いに対向する受骨１５と元親骨１１の結合部分の下側にそれぞれ対向するように形成された離脱防止ピン１９、２０によってそれぞれ受骨１５と元親骨１１に挿入されているので、第２昇降部材１６を押し上げる昇降部材９はほとんど停止している。
【００４５】
上記のように、上部へ押し上げられた第２昇降部材１６は昇降部材９の下側に形成されたスペース部９ａの下端に接するようになる。この時、第２昇降部材１６に回動可能に連結された内側牽引部材１７が、第２昇降部材１６が昇降部材９のスペース部９ａの下端に接するまで移動した距離だけ上方へ移動しながら内側牽引部材１７と環状部１７ａ、１８ａによって相互連結された外側牽引部材１８を上方へ移動させて、外側牽引部材１８と回動可能に連結された先親骨１２の支持部１４を引いて日傘骨アセンブリー１０の先親骨１２が約９０゜回動して第２昇降部材１６を握っている手に接触されないように、図７のように半分伸長された状態になる。このような状態で、第２昇降部材１６を押し上げ続けると、受骨１５が回動可能に結合されている昇降部材９も一緒に上昇しながら受骨１５と元親骨１１が回動して開き、同時に昇降部材９に回動可能に結合された受骨１５の結合部と第２昇降部材１６に回動可能に結合された内側牽引部材１７の結合部の間隔によって第２昇降部材１６が上昇すると、内側牽引部材１７と外側牽引部材１８が環状部１７ａ、１８ａによって相互連結された連結部が元親骨１１と受骨１５が回動可能に結合された結合部に近付きながら外側牽引部材１８が先親骨１２の支持部１４を引っ張って先親骨１２が回動して元親骨１１とほぼ一直線になるように伸び、内側牽引部材１７と外側牽引部材１８の連結部は元親骨１１と受骨１５が回動可能に結合される結合部にほぼ近接した図８のような状態になる。このような状態で第２昇降部材１６を押し上げ続けると、受骨１５が結合されている昇降部材９も上昇し続けながら従来の日傘のように日傘骨アセンブリー１０が広がるようになり、同時に、上記のように、昇降部材９に回動可能に結合された受骨１５の結合部と第２昇降部材１６に回動可能に結合された内側牽引部材１７の結合部の間隔によって内側牽引部材１７と外側牽引部材１８の連結部が元親骨１１と受骨１５の結合部により接近しながら、外側牽引部材１８が先親骨１２の支持部１４を引っ張って先親骨１２の支持部１４が元親骨１１に密着して日傘骨アセンブリー１０が完全に開かれる。上記のように、完全に開かれた状態では第２昇降部材１６に設置されている上部ストッパー２１の係止段部２１ａが大管４の上側に形成された固定孔４ｃに挿入されて日傘１を広げた状態に固定された図９のような状態になる。
【００４６】
上記のように日傘１を広げた状態で使ってから日傘１を折り畳む場合には、日傘１を広げる時の逆順で日傘骨アセンブリー１０が作動する。まず、図９のような状態で第２昇降部材１６に設置されて第２昇降部材１６の外部に突出されている上部ストッパー２１の上端部分を指で押して大管４の上側固定孔４ｃで上部ストッパー２１の下端部分に形成された係止段部２１ａを分離して第２昇降部材１６を下に引けば良い。
【００４７】
上記のように固定孔４ｃで上部ストッパー２１の係止段部２１ａを分離して第２昇降部材１６を下へ引くと、昇降部材９も第２昇降部材１６と接した状態で一緒に下方へ移動する。この時、昇降部材９に回動可能に結合された受骨１５と元親骨１１が回動して、図８のように、ある程度折り畳まれた後、昇降部材９に回動可能に結合された受骨１５の結合部と第２昇降部材１６に回動可能に結合された内側牽引部材１７の結合部の間隔によって第２昇降部材１６が下降すると、内側牽引部材１７と外側牽引部材１８が環状部１７ａ、１８ａによって相互連結された連結部が元親骨１１と受骨１５が回動可能に結合された結合部から遠くなりながら、受骨１５と元親骨１１と先親骨１２が一緒に回動して受骨１５と元親骨１１は大管４にほぼ接し、先親骨１２は半分折り畳まれた状態で昇降部材９は停止するようになる図７のような状態になる。上記の状態で、第２昇降部材１６を下へ引き続けると、第２昇降部材１６と回動可能に結合されている内側牽引部材１７が下方へ移動しながら内側牽引部材１７と環状部１７ａ、１８ａによって相互連結されている外側牽引部材１８を引っ張って外側牽引部材１８と回動可能に結合されている先親骨１２の支持部１４を押して先親骨１２が回動されて折られるようになり、第２昇降部材１６に設置されている下部ストッパー２２の係止段部２２ａが大管４の下側に形成された固定孔４ｄに挿入されると、日傘骨アセンブリー１０が完全に折り畳まれた状態で固定され、同時に第２昇降部材１６の下端部が係止孔３ｂ、４ｂを通じて大管４の外部に突出されている係止突起７を押し入れて中管３が大管４でスライド可能な図６のような状態になる。このような状態で、折り畳まれている日傘骨アセンブリー１０を手で握って手元２を押して伸長されている中棒５の大管４と中管３を縮小させた図５のような状態で保管すれば良い。
【００４８】
図１０は本発明の好ましい第３実施例において日傘骨アセンブリーが折り畳まれた状態で中棒が縮小された状態を示す断面図であり、図１１は本発明の好ましい第３実施例において日傘骨アセンブリーが折り畳まれた状態で中棒が伸長された状態を示す断面図であり、図１２は本発明の好ましい第３実施例において日傘骨アセンブリーの先親骨が回動されて伸ばされた状態を示す断面図であり、図１３は本発明の好ましい第３実施例において日傘が開かれた状態を示す断面図を示す。
【００４９】
本発明で提供する日傘１は、図示するように、手元２が下端に結合された中管３と、中管３でスライドされる大管４とで中棒５が構成され、これら中管３の上端部分と大管４の下端部分にはそれぞれ係止段部３ａ、４ａが形成されて伸長された状態で任意に外れないように構成し、中管３と大管４の係止段部３ａ、４ａの上側にそれぞれ中棒５が伸長された状態で重なる係止孔３ｂ、４ｂを形成して、中管３の係止段部３ａの上側内部に設置されたスプリング６に弾性支持される係止突起７によって中棒５が伸長された状態で固定されることができる。
【００５０】
中棒５には傘布が結合される日傘骨アセンブリー１０が結合される。
【００５１】
日傘骨アセンブリー１０は大管４の上端に固定される固定部材８に複数の元親骨１１が回動可能に放射状に結合され、各元親骨１１の他端部は先親骨１２に形成されたピン結合部１３にピンで回動可能に結合され、先親骨１２は折り畳んだ状態で先親骨１２が外部に露出されるように構成され、先親骨１２の内端部にピン結合部１３で延長された支持部１４を形成して、先親骨１２を伸ばした状態で元親骨１１の下端部分に支持部１４が支持されることができるようにする。
【００５２】
そして、元親骨１１の中間部分と中棒５の大管４に沿って昇降する昇降部材９にそれぞれ受骨１５の両端を放射状に回動可能に結合する。
【００５３】
上記した構成は一般的に使っている従来の日傘の構成とほぼ同じである。
【００５４】
本発明の第３実施例で提供する日傘１は、上記のような日傘１を構成するに際に、日傘骨アセンブリー１０の先親骨１２を手で一つ一つ伸ばしたり開いて折り畳む煩雑さを一掃することができる。
【００５５】
即ち、本発明では大管４と昇降部材９との間に位置され、大管４が囲まれるように管状のスライド管２４をさらに設置する。
【００５６】
スライド管２４の上、下端部分にはそれぞれ昇降部材９が上昇して接した状態で、固定部材８との間隔が保持されるように上部凸部２４ａが形成され、昇降部材９が下降する時、昇降部材９の下端が接する下部凸部２４ｂが形成されている。
【００５７】
スライド管２４の上端と先親骨１２の内端部に形成された支持部１４に、牽引部材２５の両端を回動可能に結合する。
【００５８】
元親骨１１は逆Ｕ字状に形成し、元親骨１１の中間部分と受骨１５が回動可能に結合される結合部のピンによって牽引部材２５が元親骨１１から離脱しないように構成する。
【００５９】
昇降部材９には日傘骨アセンブリー１０を広げた状態と折り畳んだ状態で固定されることができるように、スプリング２３の弾性力によって大管４の方へ加圧される１つの上部ストッパー２１と互いに対向する２つの下部ストッパー２２が円周方向に９０゜の間隔を隔ててそれぞれ設置されている。
【００６０】
上部ストッパー２１は下端部分に係止段部２１ａが形成されており、この係止段部２１ａは日傘骨アセンブリー１０が開かれた状態で連通されるようにスライド管２４と大管４の上側にそれぞれ形成された固定孔２４ｃ、４ｅに挿入されて固定される。
【００６１】
そして、互いに対向する２つの下部ストッパー２２は、上端部分に係止段部２２ａが形成されており、この係止段部２２ａは日傘骨アセンブリー１０が折られた状態で連通されるようにスライド管２４と大管４の下側にそれぞれ形成された互いに対向する固定孔２４ｄ、４ｆに挿入されて固定される。
【００６２】
以上のように構成される本発明の第３実施例における日傘１が、図１０のように折られた状態で使おうとする場合には、まず折られた状態の日傘骨アセンブリー１０を手で握って手元２を引っ張って縮まっている中棒５の大管４と中管３を伸長させる。この時、中管３と大管４は係止段部３ａ、４ａによって固定され、係止孔３ｂ、４ｂが重なって中管３の係止段部３ａの上側内部に設置されたスプリング６によって弾性支持される係止突起７が係止孔３ｂ、４ｂを通じてスライド管２４の下端部分に接している図１１のような状態になる。
【００６３】
上記のように、中棒５を伸長させた状態で昇降部材９に設置されて、昇降部材９の外部に突出されている互いに対向する２つの下部ストッパー２２の下端部分を指で押してスライド管２４と大管４の下側にそれぞれ連通されるように形成された互いに対向する固定孔２４ｄ、４ｆから下部ストッパー２２の上端部分に形成された係止段部２２ａを分離する。この時、互いに対向する２つの下部ストッパー２２の下端部分は指の把持力によってスライド管２４の下端部分に密着される。
【００６４】
上記した状態で昇降部材９を上側へ押し上げると、互いに対向する２つの下部ストッパー２２の下端部分に指の把持力によって密着されたスライド管２４も一緒に上方へ移動し、スライド管２４の下端部分に接している下部管３の係止段部３ａの上側内部に設置された係止突起７が重なっている係止孔３ｂ、４ｂから突出して、大管４と中管３は伸長された状態で固定される。この時、昇降部材９に回動可能に結合された受骨１５と上記受骨１５と回動可能に結合された元親骨１１が回動して広がり、同時にスライド管２４が上方へ移動しながらスライド管２４の上端と先親骨１２の支持部１４に両端が回動可能に結合された牽引部材２５が先親骨１２の支持部１４を引っ張って先親骨１２を回動して元親骨１１と先親骨１２がほぼ一直線になるように伸ばし、スライド管２４の上端が固定部材８と接しながら止められた図１２のような状態になる。
【００６５】
このような状態で昇降部材９を押し上げ続けると、スライド管２４の上端が固定部材８と接しているので、昇降部材９は指の把持力を克服してスライド管２４の外部でスライド上昇しながら、従来の日傘のように日傘骨アセンブリー１０が広がり、同時に固定部材８に回動可能に結合された元親骨１１の結合部とスライド管２４の上端に回動可能に結合された牽引部材２５の結合部の間隔によって元親骨１１が回動して広がると、牽引部材２５が先親骨１２の支持部１４を引っ張って先親骨１２の支持部１４が元親骨１１に密着される。昇降部材９がスライド管２４の上部凸部２４ａに接して日傘骨アセンブリー１０が完全に開かれた状態では、昇降部材９に設置されている上部ストッパー２１の係止段部２１ａはスライド管２４と大管４の上側にそれぞれ連通されるように形成された固定孔２４ｃ、４ｅに挿入されて日傘骨アセンブリー１０を広げた状態で固定される図１３のような状態になる。
【００６６】
そして、上記のように日傘１を広げた状態で使ってから折り畳む時には、日傘１を広げる時の逆順で日傘骨アセンブリー１０が作動する。まず、図１３のような状態で昇降部材９に設置されて、昇降部材９の外部に突出されている上部ストッパー２１の上端部分を指で押してスライド管２４と大管４の上側にそれぞれ連通されるように形成された固定孔２４ｃ、４ｅに挿入されている上部ストッパー２１の下端部分に形成された係止段部２１ａを分離して昇降部材９を下方へ引けば良い。
【００６７】
上記のように固定孔２４ｃ、４ｅで上部ストッパー２１の係止段部２１ａを分離して昇降部材９を下へ引くと、スライド管２４は固定部材８と接して停止していても、昇降部材９はスライド管２４の外部でスライド下降してスライド管２４の下部凸部２４ｂに接する。この時、固定部材８に回動可能に結合された元親骨１１の結合部とスライド管２４に回動可能に結合された牽引部材２５の結合部の間隔によって元親骨１１が回動して折られると、牽引部材２５が先親骨１２の支持部１４を押して先親骨１２は少し回動して図１２のような状態になる。上記のような状態で昇降部材９を下へ引き続けると、スライド管２４が下方へ移動されながらスライド管２４の上端と先親骨１２の支持部１４に両端が回動可能に結合された牽引部材２５が先親骨１２の支持部１４を押して先親骨１２を回動させて折られるようにする。
【００６８】
上記のように昇降部材９とスライド管２４が大管４の下方へ完全に移動されて、日傘骨アセンブリー１０が完全に折り畳まれた状態で昇降部材９に設置されている互いに対向する２つの下部ストッパー２２の係止段部２２ａがスライド管２４と大管４の下側にそれぞれ連通されるように形成された互いに対向する固定孔２４ｄ、４ｆに挿入されて、日傘骨アセンブリー１０を折り畳んだ状態で固定し、同時にスライド管２４の下端部分が係止孔３ｂ、４ｂを通じて大管４の外部に突出されている係止突起７を押し入れて中管３が大管４でスライド可能な図１１のような状態になる。このような状態で、折り畳まれている日傘骨アセンブリー１０を手で握って手元２を押して伸長されている中棒５の中管３と大管４を縮小させた図１０のような状態で保管すれば良い。
【符号の説明】
【００６９】
１：日傘
２：手元
３：中管
３ａ、４ａ：係止段部
３ｂ、４ｂ：係止孔
４ｃ、４ｄ、４ｅ、４ｆ、２４ｃ、２４ｄ：固定孔
４：大管
５：中棒
６：スプリング
７：係止突起
８：固定部材
９：昇降部材
９ａ：スペース部
１０：日傘骨アセンブリー
１１：元親骨
１２：先親骨
１３：ピン結合部
１４：支持部
１５：受骨
１６：第２昇降部材
１７：内側牽引部材
１７ａ、１８ａ：環状部
１８：外側牽引部材
１９、２０：離脱防止ピン
２１：上部ストッパー
２１ａ、２２ａ：係止段部
２２：下部ストッパー
２３：スプリング
２４：スライド管
２４ａ：上部凸部
２４ｂ：下部凸部
２５：牽引部材
【図１】
0005844749.tif 000002
【図２】
0005844749.tif 000003
【図３】
0005844749.tif 000004
【図４】
0005844749.tif 000005
【図５】
0005844749.tif 000006
【図６】
0005844749.tif 000007
【図７】
0005844749.tif 000008
【図８】
0005844749.tif 000009
【図９】
0005844749.tif 000010
【図１０】
0005844749.tif 000011
【図１１】
0005844749.tif 000012
【図１２】
0005844749.tif 000013
【図１３】
0005844749.tif 000014